(57)【特許請求の範囲】
【請求項１】
回転ディスクフィルタの少なくとも１のフィルタディスク（図示せず）用のフィルタフレーム（１）の組立用モジュール（２）であって、前記フィルタフレームは少なくとも２のフィルタセグメント（図示せず）を支持するために設けられ、前記フィルタセグメントは前記フィルタディスクの外側部分を互いに形成し、前記モジュール（２）は少なくとも部分的に２つの近接するフィルタセグメントの間に設けられるよう意図された中間部材（５）を具えており、当該中間部材（５）は前記ディスクフィルタの半径方向に互いに相互連結できる少なくとも２の要素（６、７）を具えていることを特徴とするモジュール。
【請求項２】
請求項１に記載のモジュール（２）において、前記中間部材（５）が前記ディスクフィルタの半径方向に延在していることを特徴とするモジュール。
【請求項３】
請求項２に記載のモジュール（２）において、前記中間部材（５）の前記少なくとも２の要素（６、７）が、脱着可能に相互連結できることを特徴とするモジュール。
【請求項４】
請求項３に記載のモジュール（２）において、前記中間部材（５）の前記少なくとも２の要素（６、７）が、当該少なくとも２の要素（６、７）を相互に連結する手段（１０、１１）を具えることを特徴とするモジュール。
【請求項５】
請求項４に記載のモジュール（２）において、前記中間部材（５）の前記少なくとも２の要素（６、７）がそれぞれ少なくとも１の連結面（１２、１３）を具えており、各連結面は前記中間部材（５）の前記要素（６、７）の別の対応する連結面と相互連結するよう意図されており、前記連結手段（１０、１１）は前記連結面（１２、１３）に設けられていることを特徴とするモジュール。
【請求項６】
請求項５に記載のモジュール（２）において、前記連結手段（１０、１１）が前記連結面（１２、１３）の一方に少なくとも１の突出部（１０ａ）を具えており、当該突出部は前記対応する連結面（１２、１３）における少なくとも１の対応する空洞部（１１ａ）と係合するよう意図されていることを特徴とするモジュール。
【請求項７】
請求項６に記載のモジュール（２）において、前記少なくとも１の突出部（１０ａ）の最隆起部（１４）が、前記少なくとも１の対応する空洞部（１１ａ）の下側に設けられたフック手段（１５）に引っ掛かるよう設計されていることを特徴とするモジュール。
【請求項８】
請求項７に記載のモジュール（２）において、前記フック手段（１５）は弾力性があることを特徴とするモジュール。
【請求項９】
請求項６に記載のモジュール（２）において、前記連結面（１２、１３）は基本的に長方形であって、前記連結面（１２、１３）の一方の前記少なくとも１の突出部（１０ａ）は前記連結面の斜方向に沿って設けられ、前記対応する連結面における前記少なくとも1の対応する空洞部（１１ａ）は前記対応する連結面の対応する斜方向に沿って設けられることを特徴とするモジュール。
【請求項１０】
請求項５に記載のモジュール（２）において、前記連結手段（１０、１１）が、前記連結面（１２、１３）を接続するために、当該連結面（１２、１３）を通って設けられた少なくとも１のボルトを具えることを特徴とするモジュール。
【請求項１１】
請求項５に記載のモジュール（２）において、前記連結手段（１０、１１）が、前記連結面（１２、１３）の一方に設けられ、この連結面を前記対応する連結面に取り付ける少なくとも１のクランプを具えることを特徴とするモジュール。
【請求項１２】
請求項５乃至１１の何れか一項に記載のモジュール（２）において、前記連結手段（１０、１１）が、前記連結面を互いに結合させるべく当該連結面（１２、１３）に塗布された接着剤を具えることを特徴とするモジュール。
【発明の詳細な説明】
【技術分野】
【０００１】
本発明は、回転ディスクフィルタの少なくとも１のフィルタディスク用のフィルタフレームの組立用モジュールに関するものであり、フィルタフレームは少なくとも２のフィルタセグメントを支持するために設けられ、フィルタセグメントはフィルタディスクの外側部分を共に形成し、モジュールは少なくとも部分的に２の近接するフィルタセグメントの間に設けられることを目的とした中間部材を具えている。
【背景技術】
【０００２】
ディスクフィルタは、例えば、浄水場において水を濾過するために用いられる。一般的なディスクフィルタのデザインは、濾過すべき流体を受けることを目的とした回転ドラムと、ドラムの外側に設けられてドラムの横方向に外側へと延在する少なくとも１の円板形状の濾過手段とを具えている。流体はドラム内のオリフィスを通り、さらに濾過手段を通って流出する。流体内の粒子は流体が濾過手段を通過するときにフィルタ手段に付着し、それ故に濾過手段を自由に通過する流体から分離する。
【０００３】
既知の濾過手段は、フィルタフレームと、当該フレームに支持された少なくとも１のフィルタ部分とを具える。フィルタ部分は一体型に作ることもできるが、何らかの損傷があった場合に、たとえその損傷が狭い領域に限定されていたとしてもフィルタ部分全体を交換する必要があるため、多くの場合に非現実的である。従って、保守および損傷の修理を容易にするため、フィルタ部分は通常、幾つかの別個のフィルタセグメントに分割され、共に１つのフィルタ部分を形成し、フィルタフレームに脱着可能に取り付けられている。この方法では、損傷が発生した場合にフィルタ部分全体を交換する必要がなく、損傷しているフィルタセグメントのみを交換するため、保守および修理に必要な費用と時間の双方が減少する。
【０００４】
脱着可能に取り付けられたフィルタセグメントを有する上記のディスクフィルタは、多くの場合十分に動作する。しかし、大流量に必要な大きさに作られたディスクフィルタについてはフィルタフレームが大型で分厚くなると考えられる。ＳＥ５２６，６９２号は、フィルタフレームがドラムの周りで相互連結できる幾つものモジュールから組み立てられていることから、この欠点を部分的に修正したディスクフィルタを記載している。これらのモジュールは連続した中間部材で構成されており、この中間部材から２の外側部材が一端で外側に延在し、２の内側部材が他端で外側に延在する。これらの内側部材はドラムで取り付けられるよう意図されており、中間部材はドラムから半径方向に延在する。２つのこのようなモジュールがドラムの周囲で相互連結されると、フィルタセグメントを取り付けることができるフレームを形成する。この解決策では、フィルタフレームがモジュールから構成される場合、フィルタフレームは分解した形態でディスクフィルタを使用する場所に輸送され、その場所で組み立てられる。従って、ディスクフィルタ装置は、輸送の際にあまり空間を必要としない。
【０００５】
上記のモジュールシステムは多くの望ましい特性を示しているが、向上の余地はまだある。ディスクフィルタが大量流用の大きさに作られた場合、上記のディスクフィルタ装置はモジュールを組み立てるにもかかわらず輸送の際に大きくなり、輸送空間には送達されるディスクフィルタが如何に大きくなりうるかに関して上限がある。
【発明の概要】
【０００６】
本発明の目的は、上記の問題点をなくすか少なくとも低減させて、ディスクフィルタ用のフィルタフレームの組立用モジュールを提供することであり、このモジュールは搬送する際に既知のディスクフィルタ装置よりも大きくはない。
【０００７】
本発明の第１の態様によると、これらの目的は、回転ディスクフィルタの少なくとも１のフィルタディスク用のフィルタフレームの組立用モジュールを提供することにより実現し、フィルタフレームは少なくとも２のフィルタセグメントを支持するために設けられ、フィルタセグメントは互いに前記フィルタディスクの外側部分を形成し、モジュールは少なくとも部分的に２の近接するフィルタセグメントの間に設けられることを目的とした中間部材を具えており、この中間部材はディスクフィルタの半径方向に互いに相互連結できる少なくとも２つの要素を具えることを特徴としている。
【０００８】
この構成では、モジュールの中間部材は連続しておらず、相互連結できる少なくとも２つの要素に設けられている。従って、相互連結される前のモジュールの大きさは、連続的な中間部材と比較して減少させることができる。次いで、モジュールはあまり大きくなくなり、既知のモジュールと比較して輸送が容易となる。例えば、中間部材が２つの同等の長さの要素で構成されている場合、ディスクフィルタの半径方向のモジュールの長さは、中間部材が一体型に作られている場合にモジュールが有する長さの半分にすることができる。
【０００９】
一実施形態によると、中間部材はディスクフィルタの半径方向に延在する。このようなデザインはフィルタフレームを特に安定にして、ディスクフィルタに掛かる力を十分に支持する。
【００１０】
ある状況では、中間部材の少なくとも２つの要素が相互連結できるだけでなく、互いに取り外しできる場合にも適している。モジュールの中間部材の一部が壊れて交換したい場合、あるいは分解してディスクフィルタを移動させたい場合に、このような状況が起こりうる。これを容易にするため、本発明の一実施形態では、中間部材の少なくとも２つの要素は脱着可能に相互連結される。
【００１１】
好適には、中間部材の少なくとも２つの要素は、これらの要素を連結する手段を具えている。フィルタフレームを組み立てるとき、これらの連結手段は中間部材の要素の互いの単純な相互連結を容易にする。これらの連結手段は中間部材の異なる要素を相互連結するために、様々な方法で設けることができる。好適な一実施形態では、中間部材の少なくとも２つの要素はそれぞれ少なくとも１の連結面を具えており、各連結面は中間部材の要素の他の対応する連結面と相互連結するように意図されており、これらの連結手段は連結面に設けられる。「連結面」は、中間部材が相互連結されたときに互いに接触する、中間部材の要素の表面に関連している。
【００１２】
しかしながら、連結手段は連結面上に設ける必要はなく、連結面の近く設けることで十分であることに留意されたい。例えば、一方では、第１の連結面から多少離れて中間部材の第１の要素に取り付けられ、他方では、第２の連結面から多少離れて中間部材の第２の要素に取り付けられるように連結手段を設けてもよく、これらの要素双方はこのように相互連結される。
【００１３】
一実施形態では、連結手段は連結面の一方に少なくとも１の突出部を具えており、この突出部は対応する連結面における少なくとも１の対応する空洞部と係合することを意図している。この種の連結手段では、フィルタフレームのアセンブリ、特に中間部材のアセンブリは非常に単純且つ柔軟となる。これらの突出部および空洞部は一般に、製造時に既に中間部材の要素に形成されるため、アセンブリする際には別の連結手段は必要ない。従って、相互連結に要する時間および難易度は最小限となる。
【００１４】
相互連結を更に向上させるため、フック手段に引っ掛かるように突出部の最隆起部を設計してもよく、これらのフック手段は空洞部の下部に設けられる。この方法では、突出部を空洞部に固定することができる。
【００１５】
さらに、フック手段は弾力性を有しうる。この方法では、突出部の最も外側の部分を引っ掛けるのが簡単となり、固定は強力となる。フック手段を弾力的にするとさらに、既に相互連結された２つの中間部材の取り外しが容易となる。
【００１６】
一実施形態では、中間部材の連結面は基本的に長方形である。この場合、相互連結した後に中間部材の要素の間が揺れるか捩れるのを防ぐために、全ての連結手段が連結面の表面の何れかに対して平行な線に沿って位置することがないように連結手段を設けることが適切である。これを実現する手段の１つが、連結面の一方の斜方向に沿って突出部を設け、同様に、対応する連結面の対応する斜方向に沿って対応する空洞部を設けることである。
【００１７】
代替的な実施形態では、他の種類の連結手段を利用することもできる。例えば、連結面を接続するため、少なくとも１のボルトを連結面を通して設けてもよい。連結手段の他の例は少なくとも１のクランプであり、クランプは連結面の一方に設けられて、対応する連結面に取り付ける。代替的に、連結手段は連結面に塗布される接着剤を具え、これらの面を互いに留め付けることができる。
【００１８】
異なる代替的な実施形態を参照して上述された特徴は、個々に若しくは互いに組み合わせて表すことができる。
【図面の簡単な説明】
【００１９】
例として本発明の好適な現行の実施形態を示す添付の図面を参照して、本発明は以下でより詳しく説明されている。
【図１】図１は、本発明の実施形態による複数のモジュールの概略的な側面図を示している。
【図２】図２ａおよび図２ｂは、本発明の実施形態によるモジュールの第１および第２の要素それぞれの斜視図を示している。
【図３】図３ａおよび図３ｂは、本発明の実施形態によるモジュールの第１および第２の要素それぞれの側面図を示している。
【発明を実施するための形態】
【００２０】
本発明は、回転ディスクフィルタの少なくとも１のフィルタディスク（図示せず）用のフィルタフレームの組立用モジュールに関するものである。このようなフィルタフレームの一部の一例が図１に示されている。図示されたフィルタフレーム１は、本発明の実施形態に則って設計された３つの部分的に組み立てられたモジュール２から構成されている。モジュール２はそれぞれ、内側部材３、外側部材４、および中間部材５から構成されている。モジュールの内側部材３は、ドラム（図示せず）と接触してドラムと組み立てることを意図している。幾つかのモジュール２が共に組み立てられると、それらの内側部材３を接合することで、内側部材３がドラムの半径と一致する半径の円を共に規定する。モジュールの内側部材３から、中間部材５が外側へとドラムの横方向に延在している。この中間部材５は、ディスクフィルタの半径方向に互いに相互連結できる少なくとも２つの要素から構成されている。図１に示す実施形態では、中間部材は、２つの要素、すなわち内側部材３に連結される第１の要素６、および外側部材４に連結される第２の要素７から構成される。要素の数は異なっていてもよいが、より多くの要素を選択することで、分解した形態でのモジュールのサイズは更に小さくなり、それ故に輸送する際にモジュールはあまり大きくならない。
【００２１】
中間部材のデザインは多様であってもよい。図示の例では、内側部材と中間部材の間の角度は直角であり、すなわち中間部材は半径方向に真っ直ぐ外側に延在している。しかしながら、他の実施形態では、内側部材と中間部材の間の角度は他の数値を呈することもできる。さらに、中間部材は直線形状を有する必要はない。すなわち、中間部材は例えば湾曲形状を有していてもよい。
【００２２】
モジュールの外側部材４は、ドラムから最も遠くに適合するよう意図された中間部材５の要素、この場合では第２の要素７に連結される。外側部材４は好適に円弧の形状を有しており、これにより、フィルタフレームを形成する他のモジュールの外側部材と共に、ドラムの外周と同軸の円を形成する。
【００２３】
記載された例のモジュール２はＡＢＳプラスチックの射出成形によって製造される。他のプラスチック材料を利用することもでき、プラスチックの種類に対して適切な製造方法が選択される。プラスチックを利用する利点は、比較的安価で展性がある材料という点である。プラスチックには耐腐食性もある。
【００２４】
幾つかのモジュール２が連結されると、それらの内側部材、中間部材、および外側部材がセル８を規定し、このセル８内においてフィルタフレーム１の何れかの側にフィルタセグメント（図示せず）を設けることができる。従って、内側部材３はドラムとフィルタセグメントの間に設けられ、外側部材４はフィルタセグメントとディスクフィルタの外周の間に設けられ、中間部材５は少なくとも部分的に２つの近接するフィルタセグメントの間に設けられる。図面から明らかなように、フィルタセグメントは互いに基本的に端から端まで設けられることを目的としており、中間部材５は２つの近接するフィルタセグメントと重なって支持している。図示の実施形態では、中間部材５はさらに２つのフィルタセグメントの間に設けられ、これらのセグメントはフィルタディスクの片側に配置される。好適には濾過布が装着されたフレームによって形成されたフィルタセグメントは、中間部材がフィルタセグメントを押し込んで固定できる固有の溝部を有しているため、容易にセル８内に配置することができる。共に、フィルタセグメントは基本的に円形のフィルタディスクの外側部分を形成しており、内側部分はドラム用の穴を形成する。既知の方法では、フィルタセグメントはフィルタディスクの両側に設けられ、幾つかのフィルタディスクはディスクフィルタのドラムに沿って設けられる。
【００２５】
モジュール２がフィルタフレームに連結され、フィルタセグメントがセル８内の空間に押し込まれている場合、幾つかのカバー９をフィルタフレームの外周、すなわちモジュール２の外側部材４に嵌めて、ねじで固定することができる。これについて、各カバー９は２つの近接するモジュール２の外側部材４の上に嵌めこまれ、ねじを用いて固定されている。カバー９は、フィルタフレーム１を安定させるためにモジュール２の外側部材４が離れないようにして、フィルタセグメントがセル８内にあるようにこれらのセグメントを所定の位置の状態に保つという双方の機能を有している。
【００２６】
以下に、図２ａおよび図２ｂ、および図３ａおよび図３ｂをそれぞれ参照して、中間部材の要素が詳しく記載されている。
【００２７】
図２ａおよび図２ｂは、本発明の好適な実施形態によるモジュール２の第１の上部および第２の下部それぞれを図示している。図３ａおよび図３ｂは、対応する要素の側面図を示している。上部は、モジュールの中間部材の第２の要素７とモジュールの外側部材４とを具えている。下部は、中間部材の第１の要素６とモジュールの内側部材３とを具えている。好適には、上部と下部は連結するための手段１０および１１を具える。この場合、連結手段１０および１１は、上部および下部それぞれの連結面１２および１３に設けられている。連結面１２および１３は、これらの要素が連結された場合に接触する、中間部材の要素の端面である。中間部材の要素は互いに連結することを目的としているため、各連結面は中間部材の他の要素に対応する連結面を有している。図示の例では、連結面１２および１３は互いに対応している。中間部材が３以上の要素から構成される場合、幾つかの要素は２つの連結面を有し、これらの連結面は中間部材の２つの異なる要素に配置された連結面と対応する。
【００２８】
図示の例では、連結面はディスクフィルタの半径方向を指す法線方向を有しており、半径方向における中間部材の要素の連結が容易となる。しかしながら、他の連結面のデザインも可能である。例えば、連結面は、表面がディスクフィルタの半径方向から４５°の法線方向を有するように設計されてもよい。
【００２９】
連結手段１０および１１は基本的に、中間部材の要素を連結する目的を満たす任意の手段によって形成することができる。しかしながら、連結面は、連結面の１つ、この場合では連結面１２に少なくとも１の突出部１０ａと、他の対応する連結面、この場合では連結面１３に対応する空洞部１１ａとを具えることが好ましい。図示の例では、連結手段１０および１１は、２つの突出部１０ａと２つの対応する空洞部１１ａとを具えている。好適には、突出部１０ａのデザインは、対応する空洞部１１ａと係合するようなものである。さらに好適には、突出部は、空洞部と係合した場合に当該空洞部に固定されるように設計される。このように、中間部材５の要素６および７を互いに固定する連結が設けられる。図２による実施形態では、突出部１０ａは連結面１２から外側に延在するピンとしてデザインされている。これらのピンは、連結面１３に対応する空洞部１１ａを形成する穴１１の形状と一致する長方形の断面を有している。
【００３０】
突出部１０ａが空洞部１１ａ内に導入されたときにロック効果を得るため、突出部の最隆起部１４をフック手段１５に引っ掛けるよう設計することができ、これらのフック手段１５は空洞部１１ａの下側に設けられる。図示の実施形態では、最隆起部１４は、当該部分１４の縁部に沿って延在する小さいフックとして設計されている。このフックは、空洞部１１ａの下側に設けられたフック手段１５に引っ掛けるために設計されている。これらのフック手段１５は、この場合では、連結面１３の下側に空洞部を有する中間部材の第１の要素６により容易となる連結面１３の底面に設けられている。フック手段は、連結面１３の底面に設けられ、この底面から斜めに外側へと延在する突起部として設計されている。フック手段１５が取り付けられる連結面１３の底面におけるフック手段１５の位置、およびフック手段１５の突起部がこの面に対して形成する角度は、この突起部の先端が空洞部１１の下部へ真直ぐ進むように適合させることが好ましい。さらに、連結面１３とフック手段１５の突起部の先端の間の距離は、この距離が空洞部１１ａを通って挿入される突出部１０ａの長さと合うように調整されることが好ましく、この場合では、連結面１３に穴を具えている。この方法では、突出部１０ａが空洞部１１ａ内に挿入されると、突出部１０ａの最隆起部１４におけるフックがフック手段１５に適合して引っ掛かることができる。これは、中間部材５の要素を容易に連結し、互いに固定された状態にすることを円滑にする。
【００３１】
突出部１０ａをフック手段１５に引っ掛けることを更に円滑にするため、フック手段を弾力的に作ることもできる。これは、例えば、完全に硬質ではないが力を加えたときに跳ね返ることができる材料で作られたフック手段によって実現することができ、例えばある種のプラスチックが合っている。フック手段１５が弾力的な場合、隆起部１４が空洞部１１ａを通ってフック手段１５を越えて挿入されると、フック手段１５は突出部１０ａの最隆起部１４によって押しのけられ、隆起部１４は図３ａにおいてフックとして図示されている。最隆起部１４がフック手段１５の先端を通過すると、これが跳ね返ってその結果突出部１０ａを固定することができる。
【００３２】
幾つかの状況では、例えばディスクフィルタのフィルタフレーム１を分解できるようにしたい場合、中間部材５の異なる要素が脱着可能に連結されている場合は都合がよい。これは、上記のような弾力的なフック手段１５を用いて実現することが好ましい。中間部材５の要素を取り外すため、力がフック手段１５に掛けられてフック手段を跳ね返させる。従って、突出部１０ａの最隆起部１４に引っ掛かっているフック手段１５が解除され、中間部材５の要素６および７は互いから取り外すことができる。
【００３３】
中間部材５の要素の形状および使用時にフィルタフレーム１に作用すると考えられる力に応じて、連結面１２および１３における連結手段１０および１１の位置を変化させたり調整することができる。例えば、連結手段１０および１１は互いにオフセットしていてもよい。図示の実施形態では、中間部材は基本的に長方形の断面を有しており、それ故に連結手段１０および１１の不適切な位置によって中間部材５の要素６および７が互いに揺れるか捩れ、その結果フィルタフレーム１において不安定にさせることがある。これを防ぐため、図２に示すように、連結手段１０および１１は連結面１２および１３の斜方向に沿って設けることができる。従って、安定性を高めることができる。
【００３４】
連結手段１０および１１が突出部１０ａおよび空洞部１１ａを具えるようにすることは、中間部材の要素間の相互連結を容易にする単純な方法である。突出部１０ａおよび空洞部１１ａはモジュール２の残りの部分にも同時に形成することができ、従って、連結を緩める手段を対処する必要性がないため、モジュールとフィルタフレーム１の組立および装着は著しく容易となるであろう。しかしながら、突出部１０ａおよび空洞部１１ａについては多くの優れた選択肢がある。例えば、中間部材の要素を相互連結するために、ねじまたはボルトを利用してもよい。これらは、接続するために連結面１２および１３を通って設けられることが好ましい。同様に、連結面１２および１３を互いに固定するためにクランプまたはクラスプを利用してもよい。代替的に、連結面に設けられることなく、中間部材５の要素を連結するためにボルト、ねじ、クランプ、およびクラスプを利用することもできる。例えば、連結面上ではなく中間部材５の第１の要素上に一方を、中間部材５の第２の要素上に他方を設けることにより、クランプは中間部材５の２つの要素を連結することができ、これはどちらも連結面ではない。更に代替的には、中間部材の要素を相互連結するために、接着剤などの粘着物質が利用される。これは、共に接合するために中間部材の連結面上に塗布されることが好ましい。より優れた連結を実現するため、異なる種類の連結手段を組み合わせることも可能である。
【００３５】
フィルタセグメントを受けて支持するため、モジュールの中間部材にさらに固有の溝部１６を設けてもよい。これらの溝部は中間部材５が内側部分１７と少なくとも１の前部分１８を具えるていることで実現し、これらの部分は内側部分１７および前部分１８に対して垂直の少なくとも１の仕切り１９によって連結されている。仕切り１９が内側部分１７と前部分１８を分離しているため、中間部材において溝部１６を規定する空間が形成される。中間部材の要素が連結されたときに、溝部１６が塞がれたり遮られることのないように設計されることが重要である。中間部材の要素間の接合が問題ないことを確実にするため、中間部材５の要素６および７が連結されたときに互いに接触する追加の連結手段２０および２１を前部分１８の表面に設けてもよい。これらの追加な連結手段２０および２１は、例えば突出部および空洞部を具えうる。
【００３６】
本発明の上述の実施形態には数多くの改変があり、それらは以下の特許請求の範囲によって規定されるような本発明の範囲内で実施可能であると認識されたい。例えば、連結手段は多くの方法で実施することができ、それらが突出部と空洞部を具える場合、これらのデザインは異なっていてもよい。例えば、円筒形の突出部を用いてもよく、空洞部は連結面を通過する穴である必要はなく、単にくぼみとして設計されてもよい。後者の場合、空洞部から分離する突出部の代わりに、フック手段がくぼみに設けられてもよい。さらに、連結手段の数および中間部材の要素の数、ならびにそれらのデザインは多様であってもよい。
【図１】
0005450798.tif 000002
【図２ａ】
0005450798.tif 000003
【図２ｂ】
0005450798.tif 000004
【図３ａ】
0005450798.tif 000005
【図３ｂ】
0005450798.tif 000006